(57)【要約】    【課題】火災感知器、非常ボタン、ガス漏れ検知器、防犯窓センサのような外部機器からの信号をもとにライトを点滅または点灯させてセキュリティ異常の警報表示を行うことにより、警報設備を別途に設けずに警報表示を実現させる。    【解決手段】人体感知センサ２からの人体感知信号を検出してライト１を点灯させることができるライト駆動装置４の制御回路４０５の制御により、ライトを点滅または点灯させて住戸内にて発生したセキュリティ異常の警報表示を行うにあたり、当該ライト駆動装置に備えられた少なくとも２つの接続端子４０２、４０３のうち一方の接続端子に接続された外部機器３からの信号をもとにライトを点灯させるとともに、他方の接続端子に接続された外部機器からの信号を検出してライトを点滅させる。  【選択図】図１
2007264758.tif 000002
【特許請求の範囲】
【請求項１】
住戸外、エントランスに設置されるライト（１）と、人体感知センサ（２）からの人体感知信号を検出して前記ライトを点灯させるためのライト駆動装置（４）とを備え、
前記ライト駆動装置は、火災感知器、非常ボタン、ガス漏れ検知器、防犯窓センサのような外部機器（３）が接続される接続端子（４０２、４０３）と、前記接続端子に接続された前記外部機器からの信号を検出して前記ライトを点滅または点灯させるための制御回路（４０５）とを備えたことを特徴とするライト制御装置。
【請求項２】
前記ライト駆動装置は、前記外部機器が接続される少なくとも２つの接続端子（４０２、４０３）と、前記接続端子のうち一方の接続端子に接続された前記外部機器からの信号を検出して前記ライトを点灯させ、前記接続端子のうち他方の接続端子に接続された前記外部機器からの信号を検出して前記ライトを点滅させるための制御回路（４０５）とを備えたことを特徴とする請求項１記載のライト制御装置。
【請求項３】
前記外部機器は、前記ライトを点灯させる点灯信号と前記ライトを消灯させる消灯信号とを一定の間隔で前記ライト駆動装置に送出するための点灯・消灯信号生成回路（３０１）を備え、
前記ライト駆動装置は、前記外部機器からの信号を検出して前記ライトを点灯または消灯させるための制御回路（４０５）を備えたことを特徴とする請求項１記載のライト制御装置。
【請求項４】
前記ライト駆動装置は、前記外部機器からの信号と前記人体感知センサからの人体感知信号とを住戸内に送出するための信号線を、２線の伝送線（Ｌ）に一方向または双方向に重畳することを特徴とする請求項１乃至請求項３のうち何れか１項記載のライト制御装置。
【発明の詳細な説明】
【技術分野】
【０００１】
本発明は、人体感知センサからの人体感知信号を検出してライトを点灯させるライト制御装置に係り、特に、火災感知器、非常ボタン、ガス漏れ検知器、防犯窓センサのような外部機器からの信号をもとにライトを点滅または点灯させてセキュリティ異常の警報表示を行うことができるライト制御装置に関する。
【背景技術】
【０００２】
従来から、玄関ドアの付近の玄関アプローチに人が近づくと点滅して人の気配があることを視覚的に強調することができるセンサライトが開示されている（例えば、特許文献１、非特許文献１をそれぞれ参照。）。
【０００３】
【特許文献１】特開２００５−２４９９００号公報（段落番号「００１６」、第１図）
【非特許文献１】アイホン  総合カタログ  ２００５／２００６年版（第２２頁）
【発明の開示】
【発明が解決しようとする課題】
【０００４】
背景技術に記載した特許文献１および非特許文献１のセンサライトを点滅させるにあたっては、玄関ドアの付近の玄関アプローチに人が近づいたときに限定され、火災感知器、非常ボタン、ガス漏れ検知器、防犯窓センサのような外部機器が作動したセキュリティ異常の警報表示を行うことができず、この警報表示を実現するにあたっては、別途の警報設備が必要とされていた。
【０００５】
本発明は、この難点を解消するためになされたもので、火災感知器、非常ボタン、ガス漏れ検知器、防犯窓センサのような外部機器からの信号をもとにライトを点滅または点灯させてセキュリティ異常の警報表示を行うことにより、警報設備を別途に設けずに警報表示を実現させるとともに、施工コストの削減や配線の省線化を図り、さらには、既設住宅への設置が容易なセンサ制御装置を提供することを目的としている。
【課題を解決するための手段】
【０００６】
前述の目的を達成するため、本発明の第１の態様であるセンサ制御装置は、住戸外、エントランスに設置されるライトと、人体感知センサからの人体感知信号を検出してライトを点灯させるためのライト駆動装置とを備えたものである。ライト駆動装置は、火災感知器、非常ボタン、ガス漏れ検知器、防犯窓センサのような外部機器が接続される接続端子と、接続端子に接続された外部機器からの信号を検出してライトを点滅または点灯させるための制御回路とを備えたものである。
【０００７】
また、本発明の第２の態様であるセンサ制御装置は、本発明の第１の態様において、ライト駆動装置は、外部機器が接続される少なくとも２つの接続端子と、接続端子のうち一方の接続端子に接続された外部機器からの信号を検出してライトを点灯させ、接続端子のうち他方の接続端子に接続された外部機器からの信号を検出してライトを点滅させるための制御回路とを備えたものである。
【０００８】
また、本発明の第３の態様であるセンサ制御装置は、本発明の第１の態様において、外部機器は、ライトを点灯させる点灯信号とライトを消灯させる消灯信号とを一定の間隔でライト駆動装置に送出するための点灯・消灯信号生成回路を備えたものである。ライト駆動装置は、外部機器からの信号を検出してライトを点灯または消灯させるための制御回路を備えたものである。
【０００９】
また、本発明の第４の態様であるセンサ制御装置は、本発明の第１の態様乃至第３の態様において、ライト駆動装置は、外部機器からの信号と人体感知センサからの人体感知信号とを住戸内に送出するための信号線を、２線の伝送線に一方向または双方向に重畳するものである。
【発明の効果】
【００１０】
本発明のライト制御装置によれば、人体感知センサからの人体感知信号を検出してライトを点灯させることができるライト駆動装置の制御回路は、ライトを点滅または点灯させて住戸内にて発生したセキュリティ異常の警報表示を行うにあたり、当該ライト駆動装置に備えられた少なくとも２つの接続端子のうち一方の接続端子に接続された外部機器からの信号をもとにライトを点灯させることができるとともに、他方の接続端子に接続された外部機器からの信号を検出してライトを点滅させることができる。これにより、警報設備を別途に設けずに、住戸内にて発生したセキュリティ異常の警報表示を実現させることができる。
【００１１】
また、本発明のライト制御装置によれば、人体感知センサからの人体感知信号を検出してライトを点灯させることができるライト駆動装置の制御回路は、外部機器の点灯・消灯信号生成回路にて一定の間隔で生成される点灯信号および消灯信号の相違に応じて、ライトを点灯または消灯させることができる。
【００１２】
また、本発明のライト制御装置によれば、ライト駆動装置は、外部機器からの信号と人体感知センサからの人体感知信号とを住戸内に既設されている２線の伝送線に一方向または双方向に重畳させることができ、この２線の伝送線に接続された機器、例えば、インターホン機能を備えた居室親機において、住戸外、エントランスに人体の存在があることを住戸内に報知することができる。これにより、住戸外、エントランスに人体の存在があることを住戸内に報知するにあたり、２線の伝送線以外の配線が不要とされ、施工コストの削減や配線の省線化が図られるとともに、既設住宅への設置が容易となる。
【発明を実施するための最良の形態】
【００１３】
以下、本発明のライト制御装置を適用した最良の実施の形態例について、図面を参照して説明する。
【００１４】
図１は、本発明の実施例によるライト制御装置の具体的な構成を示すブロック図である。
【００１５】
図１に示すライト制御装置には、住戸外、エントランスに設置されるライト１と、住戸外、エントランスにおける人体の存在を感知するための人体感知センサ２と、住戸内に設置される火災感知器、非常ボタン、ガス漏れ検知器、防犯窓センサのような外部機器３と、住戸外、エントランスに設置され、人体感知センサ２にて生成される人体感知信号や外部機器３にて生成される各種の信号を検出してライト１を点滅または点灯させるためのライト駆動装置４とが備えられている。なお、ライト駆動装置４には、住戸内に既設されている２線の伝送線Ｌを経由して、住戸内に設置される機器、例えば、インターホン機能を備えた居室親機５を接続することができる。
【００１６】
同図において、外部機器３には、当該外部機器にて検知／感知された住戸内のセキュリティ異常（火災の発生、非常ボタンの操作、ガス漏れの発生、防犯窓のこじ開け等）を示すセキュリティ異常信号を生成するためのセキュリティ異常信号生成回路３００と、ライト１を点灯させるための点灯信号および当該ライトを消灯させるための消灯信号を一定の間隔でライト駆動装置４に送出する点灯・消灯信号生成回路３０１とが備えられている。
【００１７】
ライト駆動装置４には、ライト１が接続される接続端子（以下、ライト接続端子という。）４００と、人体感知センサ２が接続される接続端子（以下、センサ接続端子という。）４０１と、外部機器３が接続される少なくとも２つの接続端子、ここでは、２つの接続端子（以下、第１、第２の各外部接続端子という。）４０２、４０３と、２線の伝送線Ｌを経由して居室親機５が接続される接続端子（以下、伝送線接続端子という。）４０４と、前述の各接続端子４００、４０１、４０２、４０３、４０４にそれぞれ接続され、ライト１を所定のパターンで点滅または点灯させるための制御を行うとともに、居室親機５への移報制御を行うための制御回路４０５とが備えられている。
【００１８】
なお、ライト駆動装置４の外部接続端子は、２つに限定されるものではなく、より複数の当該外部接続端子を設けることもできる。
【００１９】
このように構成された本発明の実施例によるライト制御装置において、具体的な動作について説明する。
【００２０】
本発明の実施例による第１の動作として、図１に示す火災感知器、非常ボタン、ガス漏れ検知器、防犯窓センサのような外部機器３が接続されるライト駆動装置４の第１、第２の各外部接続端子４０２、４０３のうち、第１の外部接続端子４０２に外部機器３が接続されている態様（以下、この接続の態様を第１の接続例という。）において、外部機器３にて火災の発生、非常ボタンの操作、ガス漏れの発生、防犯窓のこじ開けのようなセキュリティ異常が検知／感知されると、セキュリティ異常信号生成回路３００にてセキュリティ異常信号が生成される。このセキュリティ異常信号は、セキュリティ異常信号生成回路３００からライト駆動装置４の第１の外部接続端子４０２を経由して制御回路４０５に伝送される。
【００２１】
ライト駆動装置４の制御回路４０５は、第１の外部接続端子４０２を経由して受信された外部機器３のセキュリティ異常信号生成回路３００からのセキュリティ異常信号を検出すると、ライト１を点灯させるためのライト制御信号（以下、第１のライト制御信号という。）を生成する。この第１のライト制御信号は、制御回路４０５からライト接続端子４００を経由してライト１に伝送される。
【００２２】
ライト１は、ライト駆動装置４の制御回路４０５からの第１のライト制御信号を検出すると点灯され、住戸内にて発生したセキュリティ異常の警報表示を行うことができる。
【００２３】
なお、前述までの第１の動作において、外部機器３をライト駆動装置４の第１の外部接続端子４０２に接続するような施工／配線時に、外部機器３の種類、すなわち、火災感知器、非常ボタン、ガス漏れ検知器、防犯窓センサを識別する機能が制御回路４０５に備えられている場合、第１の外部接続端子４０２を経由して受信された外部機器３のセキュリティ異常信号生成回路３００からのセキュリティ異常信号を検出した制御回路４０５は、火災の発生、非常ボタンの操作、ガス漏れの発生、防犯窓のこじ開けのようなセキュリティ異常の相違に応じた所定のパターンでライト１を点灯させて、住戸内にて発生したセキュリティ異常の警報表示を行うこともできる。
【００２４】
また、ライト駆動装置４の制御回路４０５は、第１の外部接続端子４０２を経由して受信された外部機器３のセキュリティ異常信号生成回路３００からのセキュリティ異常信号を検出したとき、センサ接続端子４０１を経由して受信された人体感知センサ２からの人体感知信号を検出すると、セキュリティ異常信号に人体感知信号を重畳させた信号（以下、第１の重畳信号という。）を生成する。この第１の重畳信号は、制御回路４０５から伝送線接続端子４０４、２線の伝送線Ｌを経由して居室親機５に伝送される。
【００２５】
居室親機５は、ライト駆動装置４の制御回路４０５から伝送されてきた第１の重畳信号を検出すると、住戸内における火災の発生、非常ボタンの操作、ガス漏れの発生、防犯窓のこじ開けのようなセキュリティ異常が検知／感知された旨の警報発報（警報音や音声メッセージ等の鳴動、警報メッセージや絵データの表示）を行うとともに、住戸外、エントランスに人体の存在があることを併せて住戸内に報知することができる。この動作により、住戸外、エントランスに人体の存在があることを住戸内に報知するにあたり、２線の伝送線Ｌ以外の配線が不要とされ、施工コストの削減や配線の省線化が図られる。
【００２６】
次に、本発明の実施例による第２の動作として、図１に示す火災感知器、非常ボタン、ガス漏れ検知器、防犯窓センサのような外部機器３が接続されるライト駆動装置４の第１、第２の各外部接続端子４０２、４０３のうち、第２の外部接続端子４０３に外部機器３が接続されている態様（以下、この接続の態様を第２の接続例という。）において、外部機器３にて火災の発生、非常ボタンの操作、ガス漏れの発生、防犯窓のこじ開けのようなセキュリティ異常が検知／感知されると、セキュリティ異常信号生成回路３００にてセキュリティ異常信号が生成される。このセキュリティ異常信号は、セキュリティ異常信号生成回路３００からライト駆動装置４の第３の外部接続端子４０３を経由して制御回路４０５に伝送される。
【００２７】
ライト駆動装置４の制御回路４０５は、第２の外部接続端子４０３を経由して受信された外部機器３のセキュリティ異常信号生成回路３００からのセキュリティ異常信号を検出すると、ライト１を点滅させるためのライト制御信号（以下、第２のライト制御信号という。）を生成する。この第２のライト制御信号は、前述の第１のライト制御信号と同様、制御回路４０５からライト接続端子４００を経由してライト１に伝送される。
【００２８】
ライト１は、ライト駆動装置４の制御回路４０５からの第２のライト制御信号を検出すると点滅され、住戸内にて発生したセキュリティ異常の警報表示を行うことができる。
【００２９】
なお、前述までの第２の動作において、外部機器３をライト駆動装置４の第２の外部接続端子４０３に接続するような施工／配線時に、外部機器３の種類、すなわち、火災感知器、非常ボタン、ガス漏れ検知器、防犯窓センサを識別する機能が制御回路４０５に備えられている場合、第２の外部接続端子４０３を経由して受信された外部機器３のセキュリティ異常信号生成回路３００からのセキュリティ異常信号を検出した制御回路４０５は、火災の発生、非常ボタンの操作、ガス漏れの発生、防犯窓のこじ開けのようなセキュリティ異常の相違に応じた所定のパターンでライト１を点滅させて、住戸内にて発生したセキュリティ異常の警報表示を行うこともできる。
【００３０】
また、ライト駆動装置４の制御回路４０５は、第２の外部接続端子４０３を経由して受信された外部機器３のセキュリティ異常信号生成回路３００からのセキュリティ異常信号を検出したとき、センサ接続端子４０１を経由して受信された人体感知センサ２からの人体感知信号を検出すると、セキュリティ異常信号に人体感知信号を重畳させた信号（以下、第２の重畳信号という。）を生成する。この第２の重畳信号は、前述の第１の重畳信号と同様、制御回路４０５から伝送線接続端子４０４、２線の伝送線Ｌを経由して居室親機５に伝送される。
【００３１】
居室親機５は、ライト駆動装置４の制御回路４０５から伝送されてきた第２の重畳信号を検出すると、住戸内における火災の発生、非常ボタンの操作、ガス漏れの発生、防犯窓のこじ開けのようなセキュリティ異常が検知／感知された旨の警報発報（警報音や音声メッセージ等の鳴動、警報メッセージや絵データの表示）を行うとともに、住戸外、エントランスに人体の存在があることを併せて住戸内に報知することができる。この動作により、住戸外、エントランスに人体の存在があることを住戸内に報知するにあたり、２線の伝送線Ｌ以外の配線が不要とされ、施工コストの削減や配線の省線化が図られるとともに、既設住宅への設置が容易となる。
【００３２】
次に、本発明の実施例による第３の動作として、前述の第１の接続例および第２の接続例の相違を問わずして、外部機器３の点灯・消灯信号生成回路３０１は、一定の間隔で点灯信号および消灯信号を生成することができる。この点灯信号および消灯信号は、点灯・消灯信号生成回路３０１からライト駆動装置４の第１の外部接続端子４０２または第２の外部接続端子４０３を経由して制御回路４０５に伝送される。
【００３３】
ライト駆動装置４の制御回路４０５は、第１の外部接続端子４０２または第２の外部接続端子４０３を経由して受信された外部機器３の点灯・消灯信号生成回路３０１からの点灯信号および消灯信号のうち点灯信号を検出すると、ライト１を点灯させるための第１のライト制御信号を生成する一方、消灯信号を検出すると、ライト１を消灯させるための第２のライト制御信号を生成する。この第１、第２の各ライト制御信号は、外部機器３の点灯・消灯信号生成回路３０１にて点灯信号および消灯信号が生成される一定の間隔で、その出力が切り替わり、ライト接続端子４００を経由してライト１に伝送される。
【００３４】
ライト１は、ライト駆動装置４の制御回路４０５からの第１のライト制御信号を検出すると点灯される一方、第２のライト制御信号を検出すると消灯されるように、一定の間隔で点灯または消灯が繰り返される。
【００３５】
また、ライト駆動装置４の制御回路４０５は、第１の外部接続端子４０２または第２の外部接続端子４０３を経由して受信された外部機器３の点灯・消灯信号生成回路３０１からの点灯信号または消灯信号を検出したとき、センサ接続端子４０１を経由して受信された人体感知センサ２からの人体感知信号を検出すると、点灯信号または消灯信号に人体感知信号を重畳させた信号（以下、第３の重畳信号という。）を生成する。この第３の重畳信号は、前述の第１、第２の各重畳信号と同様、制御回路４０５から伝送線接続端子４０４、２線の伝送線Ｌを経由して居室親機５に伝送される。
【００３６】
居室親機５は、ライト駆動装置４の制御回路４０５から伝送されてきた第３の重畳信号を検出すると、ライト１が一定の間隔で点灯または消灯を繰り返している旨の発報（確認音や音声メッセージ等の放音、確認メッセージや絵データの表示）を行うとともに、住戸外、エントランスに人体の存在があることを併せて住戸内に報知することができる。この動作により、住戸外、エントランスに人体の存在があることを住戸内に報知するにあたり、２線の伝送線Ｌ以外の配線が不要とされ、施工コストの削減や配線の省線化が図られるとともに、既設住宅への設置が容易となる。
【００３７】
なお、本発明のライト制御装置においては、特定の実施の形態をもって説明してきたが、この形態に限定されるものでなく、本発明の効果を奏する限り、これまで知られた如何なる構成のライト制御装置、例えば、ライト１、人体感知センサ２およびライト駆動装置４が一体的に形成された当該ライト制御装置を適用することもでき、この態様によれば、さらなる省線化が図られるばかりでなく、ライト駆動装置４のライト接続端子４００、センサ接続端子４０１はそれぞれ不要となり回路構成の簡素化が図られる。
【００３８】
また、本発明の他の実施例によるライト制御装置として、例えば、図２のブロック図に示すように、火災感知器、非常ボタン、ガス漏れ検知器、防犯窓センサのようなセキュリティセンサを居室親機５に接続し、居室親機５にセキュリティ異常信号生成回路３００を備えることにより、住戸内のセキュリティ異常（火災の発生、非常ボタンの操作、ガス漏れの発生、防犯窓のこじ開け等）を示すセキュリティ異常信号を、２線の伝送線Ｌ、ライト制御装置４の伝送線接続端子４０４を経由して制御回路４０５に送出させることができ、このセキュリティ異常信号を検出した制御回路４０５の制御により、ライト１は点滅または点灯されることになる。
【図面の簡単な説明】
【００３９】
【図１】本発明の実施例によるライト制御装置の具体的な構成を示すブロック図。
【図２】本発明の他の実施例によるライト制御装置の具体的な構成を示すブロック図。
【符号の説明】
【００４０】
１……ライト
２……人体感知センサ
３……外部機器
３０１……点灯・消灯信号生成回路
４……ライト駆動装置
４０２……第１の外部接続端子（接続端子）
４０３……第２の外部接続端子（接続端子）
４０５……制御回路
Ｌ……２線の伝送線
【図１】
2007264758.tif 000003
【図２】
2007264758.tif 000004